(57)【要約】      （修正有）【課題】小物を種類ごとに整理することができる収納モジュールであって、収納具の中に配置された場合であっても当該収納モジュールの位置ずれを低減することができる収納モジュールと、この収納モジュールを構成する部品等を提供する。【解決手段】収納モジュール１は、基材１０と、該基材１０の一方の側から突出する少なくとも１つの支持部品３０と、を備え、上記基材１０は、各々がブロック状をなし、表面において開口する少なくとも１つの孔が形成された複数のブロック部品１１〜１４’と、各々が複数のブロック部品１１〜１４’のうち隣接するブロック部品の各々に形成された孔に嵌合されて隣接するブロック部品１１〜１４’同士を連結する複数の連結ピンと、を有し、複数の連結ピンによって複数のブロック部品１１〜１４’を連結することにより構成されている。【選択図】図１
0003208676.tif 000002
【実用新案登録請求の範囲】
【請求項１】
基材と、
前記基材の一方の側から突出する少なくとも１つの支持部品と、
を備え、
前記基材は、
各々がブロック状をなし、表面において開口する少なくとも１つの孔が形成された複数のブロック部品と、
各々が、前記複数のブロック部品のうち隣接するブロック部品の各々に形成された前記孔に嵌合されて前記隣接するブロック部品同士を連結する、複数の連結ピンと、
を有し、前記複数の連結ピンによって前記複数のブロック部品を連結することにより構成されている、収納モジュール。
【請求項２】
前記複数のブロック部品の各々は、互いに対向する２つの底面と、該２つの底面を接続する複数の側面とを有する柱状をなし、
前記基材において、前記複数のブロック部品は、前記２つの底面がそれぞれ同一面に並ぶように連結されている、
請求項１に記載の収納モジュール。
【請求項３】
ブロック状をなし、表面において開口する少なくとも１つの孔が形成され、
隣接するブロック部品の各々に形成された前記孔に連結ピンを挿入して前記隣接するブロック部品同士を連結することにより、収納モジュールの基材を構成する、ブロック部品。
【請求項４】
互いに対向する２つの底面と、該２つの底面を接続する複数の側面とを有する柱状をなし、
前記孔は、少なくとも前記複数の側面に形成されている、
請求項３に記載のブロック部品。
【請求項５】
立方体状をなし、
前記孔は、前記立方体の６面の各々に１つずつ形成されている、
請求項４に記載のブロック部品。
【請求項６】
複数の立方体を１次元的、２次元的、又は３次元的に密に並べた形状をなし、
前記孔は、前記立方体の１辺と同じピッチで配置されている、
請求項３に記載のブロック部品。
【請求項７】
前記２つの底面の各々にアールが設けられている、請求項４に記載のブロック部品。
【請求項８】
前記２つの底面の各々は正多角形状をなし、
前記孔は、前記複数の側面の各々と、前記２つの底面のうちの少なくとも一方とに形成されている、
請求項４に記載のブロック部品。
【請求項９】
各々がブロック状をなし、表面において開口する少なくとも１つの孔が形成された複数のブロック部品の前記少なくとも１つの孔に嵌合可能な寸法を有し、
隣接するブロック部品の各々に形成された前記孔に挿入されて前記隣接するブロック部品同士を連結することにより、収納モジュールの基材を構成する、連結ピン。
【請求項１０】
互いに連結された複数のブロック部品により形成される収納モジュールにおいて用いられる支持部品であって、
前記複数のブロック部品の各々に、表面において開口する少なくとも１つの孔が形成され、
前記少なくとも１つの孔に嵌合可能な寸法を有する挿入部と、
前記挿入部が前記少なくとも１つの孔に挿入された際に、当該少なくとも１つの孔が形成されたブロック部品の表面から突出する支持部と、
を有する支持部品。
【考案の詳細な説明】
【技術分野】
【０００１】
本考案は、抽斗や収納トレイ等の収納具に小物を収納する際に用いられる収納モジュール、並びに、該収納モジュールを構成するブロック部品、連結ピン、及び支持部品に関する。
【背景技術】
【０００２】
カトラリーや料理器具、文房具、アクセサリー等の小物を抽斗に収納する場合、抽斗をスライドさせた際に抽斗の中で小物が移動し易いため、次のような問題が生じている。即ち、小物を整理して収納したとしても、小物を取り出す際には小物の向きが不揃いになってしまい、取り出し難い。また、１つの抽斗に複数種類の小物を収納している場合には、これらの小物が混ざり合ってしまい、所望の小物を探すのに時間がかかってしまう。さらには、抽斗の中で小物が移動した際に小物同士がぶつかり合い、傷がついてしまうという問題もある。
【０００３】
小物の収納に関連する技術として、特許文献１には、取り外し自在の複数の収納トレイを備える収納トレイユニットが開示されている。また、特許文献２には、基板に取り付けられた仕切軸及び仕切り壁により収納物が動かないように収納する仕切装置が開示されている。
【先行技術文献】
【特許文献】
【０００４】
【特許文献１】実開平５−８８３４７号公報
【特許文献２】特開２００２−１２０８４６号公報
【考案の概要】
【考案が解決しようとする課題】
【０００５】
上記特許文献１の場合、収納トレイのサイズに応じ、小物をある程度仕分けて収納することができる。しかしながら、家庭の台所等には多種多様な小物があるため、小物の種類ごとの収納トレイを用意することは困難である。また、仮に小物の種類ごとに収納トレイを用意するとすれば、膨大なスペースを要してしまう。そのため、実際には、例えばフォークとスプーンのように、サイズが同程度の異なる種類の小物を１つの収納トレイに収納してしまうことが多い。このような場合、やはり上述した問題が生じる。
【０００６】
それに対し、特許文献２の場合には、仕切り軸や仕切り壁の位置を変更できるので、小物の種類ごとに整理することは比較的容易である。しかしながら、仕切装置を抽斗や収納トレイに設置する際に、仕切装置の形状やサイズが抽斗等のサイズや形状に合っていない場合、仕切装置自体が抽斗等の中で動いてしまい、やはり、小物が整理された状態を維持することは困難になる。
【０００７】
本考案は上記に鑑みてなされたものであって、小物を種類ごとに整理することができる収納モジュールであって、収納具の中に配置された場合であっても当該収納モジュールの位置ずれを低減することができる収納モジュールと、この収納モジュールを構成するブロック部品、連結ピン、及び支持部品とを提供することを目的とする。
【課題を解決するための手段】
【０００８】
上記課題を解決するために、本考案の一態様である収納モジュールは、基材と、前記基材の一方の側から突出する少なくとも１つの支持部品と、を備え、前記基材は、各々がブロック状をなし、表面において開口する少なくとも１つの孔が形成された複数のブロック部品と、各々が、前記複数のブロック部品のうち隣接するブロック部品の各々に形成された前記孔に嵌合されて前記隣接するブロック部品同士を連結する、複数の連結ピンと、を有し、前記複数の連結ピンによって前記複数のブロック部品を連結することにより構成されているものである。
【０００９】
上記収納モジュールにおいて、前記複数のブロック部品の各々は、互いに対向する２つの底面と、該２つの底面を接続する複数の側面とを有する柱状をなし、前記基材において、前記複数のブロック部品は、前記２つの底面がそれぞれ同一面に並ぶように連結されていても良い。
【００１０】
本考案の別の態様であるブロック部品は、ブロック状をなし、表面において開口する少なくとも１つの孔が形成され、隣接するブロック部品の各々に形成された前記孔に連結ピンを挿入して前記隣接するブロック部品同士を連結することにより、収納モジュールの基材を構成するものである。
【００１１】
上記ブロック部品は、互いに対向する２つの底面と、該２つの底面を接続する複数の側面とを有する柱状をなし、前記孔は、少なくとも前記複数の側面に形成されていても良い。
【００１２】
上記ブロック部品は、立方体状をなし、前記孔は、前記立方体の６面の各々に１つずつ形成されていても良い。
【００１３】
上記ブロック部品は、複数の立方体を１次元的、２次元的、又は３次元的に密に並べた形状をなし、前記孔は、前記立方体の１辺と同じピッチで配置されていても良い。
【００１４】
上記ブロック部品において、前記２つの底面の各々にアールが設けられていても良い。
【００１５】
上記ブロック部品は、前記２つの底面の各々は正多角形状をなし、前記孔は、前記複数の側面の各々と、前記２つの底面のうちの少なくとも一方とに形成されていても良い。
【００１６】
本考案のさらに別の態様である連結ピンは、各々がブロック状をなし、表面において開口する少なくとも１つの孔が形成された複数のブロック部品の前記少なくとも１つの孔に嵌合可能な寸法を有し、隣接するブロック部品の各々に形成された前記孔に挿入されて前記隣接するブロック部品同士を連結することにより、収納モジュールの基材を構成するものである。
【００１７】
本考案のさらに別の態様である支持部品は、互いに連結された複数のブロック部品により形成される収納モジュールにおいて用いられる支持部品であって、前記複数のブロック部品の各々に、表面において開口する少なくとも１つの孔が形成され、前記少なくとも１つの孔に嵌合可能な寸法を有する挿入部と、前記挿入部が前記少なくとも１つの孔に挿入された際に、当該少なくとも１つの孔が形成されたブロック部品の表面から突出する支持部と、を有するものである。
【考案の効果】
【００１８】
本考案によれば、複数のブロック部品を、これらのブロック部品に形成された孔に連結ピンを嵌合して連結させることにより収納モジュールの基材を構成すると共に、この基材に一方の側から突出する支持部品を設けるので、収納モジュール内において小物を種類ごとに整理することができ、収納モジュールを収納具の中に配置した場合であっても、当該収納モジュールの位置ずれを低減することが可能となる。
【図面の簡単な説明】
【００１９】
【図１】本考案の第１の実施形態に係る収納モジュールを模式図である。
【図２】図１に示す収納モジュールの上面図である。
【図３】図１に示すブロック部品のうちの１つを拡大して示す斜視図である。
【図４】図１に示す基材の連結に用いられる連結ピンを拡大して示す斜視図である。
【図５】図１に示す基材の連結に用いられる連結ピンの別の例を示す斜視図である。
【図６】図１に示す支持部品を示す拡大して斜視図である。
【図７】図３に示すブロック部品を連結した状態を示す断面図である。
【図８】図１に示すブロック部品のうちの１つを拡大して示す斜視図である。
【図９】図１に示すブロック部品のうちの１つを拡大して示す斜視図である。
【図１０】図１に示すブロック部品のうちの１つを拡大して示す斜視図である。
【図１１】図１に示す収納モジュールを収納トレイに配置し、被収納物を収納した状態を示す上面図である。
【図１２】本考案の第２の実施形態に係る収納モジュールを模式図である。
【図１３】図１２に示す収納モジュールにおいて使用されるブロック部品を拡大して示す斜視図である。
【図１４】本考案の第２の実施形態におけるブロック部品の変形例を示す斜視図である。
【図１５】本考案の第２の実施形態における支持部品の変形例を示す斜視図である。
【図１６】本考案の第３の実施形態に係る収納モジュールを示す模式図である。
【図１７】本考案の第４の実施形態に係る収納モジュールを示す模式図である。
【図１８】図１７に示す収納モジュールにおいて使用されるブロック部品を拡大して示す斜視図である。
【図１９】本考案の第５の実施形態に係る収納モジュールを示す模式図である。
【考案を実施するための形態】
【００２０】
以下、本考案の実施の形態に係る収納モジュール、ブロック部品、連結ピン、及び支持部品について、図面を参照しながら説明する。なお、これらの実施の形態によって本考案が限定されるものではない。また、各図面の記載において、同一部分には同一の符号を付して示している。
【００２１】
また、以下の説明において参照する図面は、本考案の内容を理解し得る程度に形状、大きさ、及び位置関係を概略的に示しているに過ぎない。即ち、本考案は各図で例示された形状、大きさ、及び位置関係のみに限定されるものではない。
【００２２】
（第１の実施形態）
図１は、本考案の第１の実施形態に係る収納モジュールを模式的に示す斜視図である。図２は、図１に示す収納モジュールの上面図である。図３は、図１に示すブロック部品のうちの１つを拡大して示す斜視図である。図４は、図１に示す基材の連結に用いられる連結ピンを拡大して示す斜視図である。図５は、連結ピンの別の例を示す斜視図である。図６は、図１に示す支持部品を拡大して示す斜視図である。図７は、図３に示すブロック部品を連結した状態を示す断面図である。
【００２３】
本実施形態に係る収納モジュール１は、抽斗や収納トレイ等の収納具の底に敷いて用いられるものであり、ブロック状をなすブロック部品１１〜１４’を用いて構成された板状の基材１０と、基材１０の一方の主面１０ａ側から突出するように設けられた複数の支持部品３０とを備える。
【００２４】
各ブロック部品１１〜１４’には、表面において開口する少なくとも１つの孔１００が形成されている。後述するように、これらの孔１００は、隣接するブロック部品同士を連結する連結ピン２０を挿入するため、又は、支持部品３０を挿入するために用いられる。本実施形態においては、全てのブロック部品１１〜１４’に複数の孔１００を形成しているが、例えば基材の端部に限定して配置するブロック部品の場合には、他のブロック部品と連結するための少なくとも１つの孔を形成すれば良く、支持部品３０を挿入するための孔を省略しても良い。
【００２５】
ブロック部品１１〜１４’の基本的な構造について、図３に示すブロック部品１１を例として説明する。図３に示すブロック部品は、立方体の形状をなしており、立方体の６つの面１１１の各々に孔１００が１つずつ形成されている。本実施形態においては、全ての孔１００の寸法（径）を同一にしている。それにより、ブロック部品１１の向きを考慮することなく、基材１０（図１参照）を組み立てることができる。
【００２６】
孔１００の直径ｂは特に限定されないが、好ましくは、辺の長さａの１／２〜１／３程度にすると良い。直径ｂの径が小さすぎる場合、連結ピン２０及び支持部品３０も細くせざるを得なくなり、連結ピン２０及び支持部品３０の強度が低下するおそれがあるからである。反対に、直径ｂの径が大きすぎる場合、基材１０を組み立てる際の各部品の取り扱いが困難になると共に、ブロック部品１１側の強度が低下するおそれがある。
【００２７】
孔１００の深さは、少なくとも連結ピン２０の長さｃの１／２以上とする。或いは、対向する面１１１の間で孔１００を貫通させても良い（図７参照）。
【００２８】
ブロック部品１１の材料は特に限定されず、金属、樹脂、木、竹等、様々な材料を用いることができる。耐久性や取扱いの容易性、製造コスト等を考慮する場合には、樹脂を用いた射出成型によりブロック部品１１を形成することが好ましい。
【００２９】
連結ピン２０は、隣接するブロック部品に形成された孔１００に嵌合されて、隣接するブロック部品同士を連結する。連結ピン２０の材料についても特に限定されないが、ブロック部品１１と同様、耐久性や取扱いの容易性、製造コスト等を考慮する場合には、樹脂を用いた射出成型により連結ピン２０を形成すると良い。連結ピン２０の端部の形状は、図４に示すような平面状としても良いし、図５に示す連結ピン２０’のように、丸くしても良い。
【００３０】
支持部品３０は、被収納物の位置や姿勢を支持するための部品であり、基材１０の一方の主面１０ａ上に開口する孔１００に挿入されて用いられる。本実施形態においては、孔１００に挿入可能な直径ｂを有する円柱状の部材を支持部品３０として用いている。この場合、支持部品３０のうち、孔１００の深さに相当する領域が、孔１００に挿入される挿入部となり、孔１００から突出する部分が、被収納物を支持する支持部となる。もちろん、支持部品３０の形状はこれに限定されず、例えば、直径ｂを有する円柱状の挿入部と、挿入部よりも一回り大きい円柱状の部材とを接続したものを支持部品として用いても良い。或いは、板状や角柱状など様々な形状の部材を挿入部と接続したものを支持部品としても良い。
【００３１】
支持部品３０の材料も特に限定されず、耐久性や取扱いの容易性、製造コスト等を考慮する場合には、樹脂によって支持部品３０を形成しても良いし、デザイン性を重視する場合には金属によって形成しても良い。また、支持部品３０の端部の形状は、図６に示すような平面状としても良いし、図５に示す連結ピン２０’と同様に丸くしても良い。或いは、端部に着色された樹脂コーティングを施すことにより、例えば滑り止めの機能と装飾性とを持たせても良い。
【００３２】
これらのブロック部品１１〜１４’、連結ピン２０、支持部品３０の寸法は特に限定されず、収納モジュール１の用途や組み立て易さ等に応じて適宜設定すれば良い。例えば、ティースプーン等の比較的小さ目のカトラリーを収納する場合には、一例として、ブロック部品１１の１辺の長さａを５ｍｍ〜１５ｍｍ程度を目安にしても良い。また、ステーキナイフ等の比較的大きめのカトラリーを収納する場合には、一例として、ブロック部品１１の１辺の長さａを１５ｍｍ〜２５ｍｍ程度を目安にしても良い。或いは、ドライバー等の工具を収納する場合には、一例として、ブロック部品１１の１辺の長さａを２５ｍｍ〜４０ｍｍ程度を目安にしても良い。
【００３３】
次に、図１に示す基材１０を構成する他のブロック部品１２〜１４’について説明する。図８〜図１０の各々は、図１に示すブロック部品の１つを拡大して示す斜視図である。ここで、基材１０においては、ブロック部品を１種類のみ用いても良いし、図１に示すように、ブロック部品を複数種類用いても良い。
【００３４】
図８に示すブロック部品１２は、図３に示す立方体状のブロック部品１１（以下、基準ブロックという）を２つ、密に並べた直方体状をなしている。図９に示すブロック部品１３は、３つ以上の基準ブロックを１次元的に密に並べた直方体状をなしている。このようなブロック部品１２、１３を用いることにより、基材１０を組み立てる際の部品点数を減らすことができ、効率良く組み立て作業を行うことができる。また、ブロック部品１２、１３の長方形の面１２１、１３１には、ブロック部品１１の辺と同じピッチで孔１００が並んでいるので、種類が異なるブロック部品同士を連結することも可能である。
【００３５】
図１０に示すブロック部品１４は、複数（図１０においては２つ）の基準ブロックを密に並べると共に、一端側における１つの角をアール状にした柱体状をなしている。なお、図１に示すブロック部品１４’は、基準ブロックを３つ並べたサイズに相当する。このようなブロック部品１４、１４’を基材１０のコーナーに配置することにより、基材１０の形状を角丸の矩形にすることができる。図１０の（ａ）、（ｂ）に示すように、ブロック部品１４においては、基材１０において外側面となる面、即ち、アール状の湾曲面１４１に孔１００を形成する必要はない。つまり、基材１０におけるブロック部品の配置が決まっている場合には、その配置に応じた位置にのみ孔１００を形成すればよい。
【００３６】
図１１は、図１に示す収納モジュール１を収納トレイ２に配置し、被収納物３を収納した状態を示す上面図である。収納モジュール１においては、複数のブロック部品１１〜１４’を組み立てることにより基材１０を形成しているので、収納トレイ２に合わせて基材１０のサイズや形状を自在に変更することができる。それにより、基材１０と収納トレイ２の内壁面との隙間を少なくすることができ、収納トレイ２を動かした場合であっても、収納モジュール１の位置ずれを抑制することができる。また、支持部品３０は孔１００に挿入するだけで基材１０上に設置することができるので、被収納物３の形状や数に合わせて、随時、支持部品３０の位置を容易に変更することができる。従って、カトラリー等の小物を個々の種類ごとに整理して収納することができると共に、収納トレイ等の収納具が動いた場合であっても、収納具の内部では安定した状態で被収納物３を収納することが可能となる。
【００３７】
本考案の第１の実施形態の変形例として、図１に示す収納モジュール１を立てて使用しても良い。詳細には、収納モジュール１の基材１０の裏面を抽斗の壁面や開き扉などに固定する。この場合、ネックレスやイヤリング等のアクセサリーや調理小物などを支持部品３０に吊り下げて収納することができる。
【００３８】
（第２の実施形態）
図１２は、本考案の第２の実施形態に係る収納モジュールを示す模式図である。図１３は、本実施形態に係る収納モジュールにおいて使用されるブロック部品を拡大して示す斜視図である。図１２に示すように、本実施形態においては、複数の基準ブロックを１次元的に密に並べた形状のブロック部品１３に加えて、複数の基準ブロックを２次元的に密に並べた形状のブロック部品１５を連結することにより、収納モジュール４を構成している。図１３に示すように、ブロック部品１５の各面には、ブロック部品１１の１辺と同じピッチで孔１００が並んでおり、ブロック部品１３、１５同士の連結には、第１の実施形態と同様に連結ピンを用いることができる。
【００３９】
このようなブロック部品１５を用いることにより、平板状の基材４０に使用される部品点数を減らすことができる。また、ブロック部品１５を基材４０に対して立てて配置することにより、ブロック部品１５を、支持部品３０（図１参照）の代わりに仕切りとして使用したり、基材４０を支持する脚部として使用したりすることもできる。
【００４０】
なお、図１３に示すブロック部品１５は、基準ブロックを同一平面（面１５１）に縦横２個ずつ密に並べた形状をなしているが、ブロック部品１５の形状はこれに限定されない。例えば、基準ブロックの配置数を縦方向と横方向とで異ならせた長方形としても良いし、縦方向又は横方向において基準ブロックの配置数を段階的に変化させた形状としても良い。
【００４１】
図１４は、本実施形態におけるブロック部品の変形例を示す斜視図である。ブロック部品としては、図１４に示すように、複数の基準ブロックを３次元的に密に並べた形状のブロック部品１６を使用しても良い。ブロック部品１６の各面には、ブロック部品１１の１辺と同じピッチで孔１００が並んでいるため、ブロック部品１６の連結にも、第１の実施形態と同様に連結ピンを用いることができる。
【００４２】
このようなブロック部品１６は、他の形状のブロック部品と共に、基材の一部として使用することができる。この場合、他のブロック部品に対して突出した部分は、支持部品として使用しても良いし、脚部として使用しても良い。
【００４３】
なお、図１４に示すブロック部品１６は、基準ブロックを３つの方向に同数ずつ並べた立方体状をなしているが、ブロック部品１６の形状（基準ブロックの配置）はこれに限定されない。例えば、全体として長角柱状をなしていても良いし、基準ブロックを積み上げた、より複雑な３次元形状をなしていても良い。
【００４４】
図１５は、本実施形態における支持部品の変形例を示す斜視図である。図１５に示す支持部品３１は、ブロック部品の孔（例えば図３に示すブロック部品１１の孔１００）に嵌合可能な２つの挿入部３１１と、これらの挿入部３１１に取り付けられた壁部３１２とを備える。２つの挿入部３１１は、ブロック部品１１の１辺と同じピッチで配置されている。
【００４５】
このように複数の挿入部３１１を設けることにより、支持部品３１を基材上に設置した際に支持部品３１の向きを安定させることができる。また、複数のブロック部品に跨るようにして支持部品３１を設置することもでき、その場合には、支持部品３１によりこれらのブロック部品をロックすることができる。
【００４６】
（第３の実施形態）
図１６は、本考案の第３の実施形態に係る収納モジュールを示す模式図である。図１６に示すように、本実施形態に係る収納モジュール５は、複数のブロック部品１２により枠状の基材を形成し、この枠状の基材の内周側に露出する孔１００に支持部品３０を挿入することにより、簀子を作成している。なお、ブロック部品１２同士の連結には、第１の実施形態と同様に連結ピンが用いられている。
【００４７】
このような収納モジュール５は、例えば、使用中の石鹸やキッチン用スポンジなど、水切りが必要な物の収納に使用することができる。収納モジュール５は、洗面台などに直接載置しても良いし、トレイや皿の上に載置しても良い。
【００４８】
（第４の実施形態）
図１７は、本考案の第４の実施形態に係る収納モジュールを示す模式図である。図１８は、本実施形態に係る収納モジュールにおいて使用されるブロック部品を拡大して示す斜視図である。
【００４９】
図１７に示すように、収納モジュール６は、複数のブロック部品１１、１２、１７により箱状に形成された本体部６１と、同じく複数のブロック部品１１、１２、１７により板状に形成された蓋部６２とを備える。なお、ブロック部品１１、１２、１７同士の連結には、第１の実施形態と同様に連結ピンを用いることができる。また、ブロック部品１１、１２の代わりに、図１に示すブロック部品１３や図１３に示すブロック部品１５を使用しても良い。
【００５０】
図１８に示すように、ブロック部品１７は、複数（図１８においては２つ）の基準ブロックを１次元的に密に並べると共に、一端側の２つの角をアール状にした形状をなしている。このようなブロック部品１７を本体部６１及び蓋部６２の１つの辺に１列おきに取り付ける。そして、本体部６１側のブロック部品１７と蓋部６２側のブロック部品１７とを連結ピン２０によって連結する。それにより、連結ピン２０を回転軸とするヒンジ構造により蓋部６２を開閉可能な収納モジュール６を得ることができる。このような収納モジュール６においては、本体部６１及び蓋部６２を基材として、内面や外面に露出した孔１００に支持部品３０、３１を取り付け、仕切りや取っ手、ツマミなどとして用いることができる。
【００５１】
（第５の実施形態）
図１９は、本考案の第５の実施形態に係る収納モジュールを示す模式図である。本考案において収納モジュールを構成するブロック部品としては、上述した基準ブロック及びこれを１次元的、２次元的、又は３次元的に並べた形状のブロック部品の他にも、種々の形状の部品を採用することができる。例えば図１９に示す収納モジュール７のように、互いに対向する２つの底面と該２つの底面を接続する複数の側面を有する柱状（図１９においては六角柱状）のブロック部品１８を用いても良い。２つの底面のうちの少なくとも一方には孔１０１が形成され、各側面には孔１０２が形成されている。ブロック部品１８同士の連結には、第１の実施形態と同様に連結ピンを用いることができる。なお、支持部品３０が挿入される孔１０１と連結ピンが挿入される孔１０２とは、径が同じであっても良いし異なっていても良い。このような収納モジュール７は、底面が六角形状の収納トレイの他、円形状の収納トレイにも容易にフィットさせることができる。
【００５２】
この他にも、三角柱、四角柱、五角柱、八角柱など、多角柱体状をなす種々のブロック部品を用いることができる。好ましくは、ブロック部品同士の側面のいずれもが互いに当接可能となるように、正多角柱体状にすると良い。
【００５３】
以上説明した実施形態及び変形例においては、基材の端部に配置されるブロック部品１４（図１０参照）及びヒンジ構造を形成するためのブロック部品１７（図１８参照）を除き、ブロック部品の形状を、全ての表面が平面である多面体とした。しかし、ブロック部品の表面の一部又は全部が曲面であっても良い。例えば、ブロック部品の表面のうちの１つを、外に凸又は内に凸の曲面とし、このような複数のブロック部品を、曲面が同じ側を向くように並べて連結することにより、基材の主面に周期的な凹凸を形成することができる。この場合、基材上に置かれた被収納物を取り出し易くすることができる。或いは、ブロック部品の側面を曲面にすることにより、隣接するブロック部品との間に隙間が生じるので、メッシュ状の基材を形成することができる。
【００５４】
また、上記実施形態及び変形例においては、連結ピンや支持部品を挿入する孔の開口形状を円形状としているが、これに限定されない。孔の開口形状を円形状とする場合には、連結ピンや支持部品を孔に挿入する際の向きを考慮する必要がないという利点がある。他方、孔の開口形状を四角形や六角形等の多角形状とする場合、連結したブロック部品同士、或いは、ブロック部品に対する支持部品の回転を抑制できるという利点がある。
【００５５】
また、上記実施形態においては、ブロック部品１１〜１８を基材１０の構成部材として使用しているが、これらのブロック部品１１〜１８を支持部品代わりに使用しても良い。例えば、連結ピン２０を用いて、ブロック部品１１〜１８を基材１０上に設置しても良い。
【００５６】
本考案は、上記実施形態及び変形例に限定されるものではなく、上記実施形態及び変形例に開示されている複数の構成要素を適宜組み合わせることによって、種々の考案を形成することができる。例えば、上記実施形態及び変形例に示した全構成要素からいくつかの構成要素を除外して形成しても良いし、上記実施形態及び変形例に示した構成要素を適宜組み合わせて形成しても良い。
【符号の説明】
【００５７】
１、４、５、６、７  収納モジュール
２  収納トレイ
３  被収納物
１０、４０  基材
１０ａ  主面
１１〜１８  ブロック部品
２０  連結ピン
３０、３１  支持部品
６１  本体部
６２  蓋部
１００、１０１、１０２  孔
１１１、１２１、１３１、１５１  面
１４１  湾曲面
３１１  挿入部
３１２  壁部
【図１】
0003208676.tif 000003
【図２】
0003208676.tif 000004
【図３】
0003208676.tif 000005
【図４】
0003208676.tif 000006
【図５】
0003208676.tif 000007
【図６】
0003208676.tif 000008
【図７】
0003208676.tif 000009
【図８】
0003208676.tif 000010
【図９】
0003208676.tif 000011
【図１０】
0003208676.tif 000012
【図１１】
0003208676.tif 000013
【図１２】
0003208676.tif 000014
【図１３】
0003208676.tif 000015
【図１４】
0003208676.tif 000016
【図１５】
0003208676.tif 000017
【図１６】
0003208676.tif 000018
【図１７】
0003208676.tif 000019
【図１８】
0003208676.tif 000020
【図１９】
0003208676.tif 000021